(57)【要約】【課題】設備配管ルートの設定自由度の高い設備配管用ピットを有しながら、施工時における掘削深さを浅くできる合理的な基礎構造を提供する。【解決手段】梁幅方向で間隔を空けて並ぶ複数の縦壁部１１，１１´と、複数の縦壁部１１，１１´の下端側部位どうしに亘る底版部１２，１２´とを有し、上方側が開放された設備配管用のピット２，２´が梁幅方向の中間部位に区画形成されているピット一体型基礎梁Ｂ，Ｂ´を用いた基礎構造であって、複数本のピット一体型基礎梁Ｂ，Ｂ´が、平面視で交差する状態に並べて配置され、ピット一体型基礎梁Ｂ，Ｂ´の交差部５では、ピット一体型基礎梁Ｂ，Ｂ´のピット２，２´が交差部５を縦断して梁長方向に連続する状態で、交差する複数本のピット一体型基礎梁Ｂ，Ｂ´が接合されている。【選択図】図６
2020169471.tif 000002
【特許請求の範囲】
【請求項１】
梁幅方向で間隔を空けて並ぶ複数の縦壁部と、前記複数の縦壁部の下端側部位どうしに亘る底版部とを有し、上方側が開放された設備配管用のピットが梁幅方向の中間部位に区画形成されているピット一体型基礎梁を用いた基礎構造であって、
複数本の前記ピット一体型基礎梁が、平面視で交差する状態に並べて配置され、
前記ピット一体型基礎梁どうしの交差部では、前記ピット一体型基礎梁の前記ピットが前記交差部を縦断して梁長方向に連続する状態で、交差する複数本の前記ピット一体型基礎梁が接合されている基礎構造。
【請求項２】
前記ピット一体型基礎梁どうしの交差部では、前記複数の縦壁部を有しない複数の縦壁部非形成領域が前記ピット一体型基礎梁に形成されている請求項１記載の基礎構造。
【請求項３】
前記ピット一体型基礎梁には、主筋及びあばら筋を有する梁鉄筋が配筋されて梁長方向に連続する複数の梁構造部が備えられ、
前記ピット一体型基礎梁どうしの交差部以外の部位では、前記複数の縦壁部に前記梁鉄筋が配筋されて、前記複数の縦壁部が前記複数の梁構造部として備えられている請求項１又は２記載の基礎構造。
【請求項４】
前記ピット一体型基礎梁どうしの交差部では、前記ピット一体型基礎梁の前記底版部の厚みが拡大され、その厚みが拡大された前記底版部における梁幅方向で間隔を空けた複数の部位に前記梁鉄筋が配筋されて、その梁鉄筋が配筋された複数の潜り梁状の部位が前記複数の梁構造部として備えられている請求項３記載の基礎構造。
【発明の詳細な説明】
【技術分野】
【０００１】
本発明は、設備配管用のピットが一体的に備えられたピット一体型基礎梁を用いた基礎構造に関する。
【背景技術】
【０００２】
展示場等の建物では、催し毎に色々なパターンでブースが設置されるため、このことを考慮し、設備配管用のピットが１階等の床に平面視で略格子状（平面視で交差する状態の一例）に設けられることが多い。このような場合、地盤中において、通常よりも深い位置に基礎梁を構築し、その上に設備配管用のピットを幅方向の中間部位に有する断面Ｕ字状のピット構造物を平面視で略格子状に設置している。この基礎構造では、地盤中の比較的深い位置に基礎梁を構築するので、その分、施工時の掘削深さが深くなり、掘削土量が増加するとともに、特に地下水位が高い場合等では施工の手間と時間が大幅に増加する不都合がある。また、基礎梁とピット構造物とを別々に構成するので、コンクリート数量等も多くなる。
この点、特許文献１には、梁幅方向で間隔を空けて並ぶ一対（複数の一例）の縦壁部と、一対の縦壁部の下端側部位どうしに亘る底版部とを有し、上方側が開放された設備配管用のピットが梁幅方向の中間部位に区画形成されている断面Ｕ字状のピット一体型基礎梁を用いた基礎構造が開示されている。地盤中で基礎梁の上に別途のピット構造物を設置する必要がなく、設備配管用のピットを構成しながらも、地盤中の比較的浅い位置に基礎梁を設置することができる。この基礎構造では、平面視において、設備配管用のピットを有しない断面長方形状の一対の基礎梁（基礎の大梁）の間に複数本のピット一体型基礎梁が平面視で平行に配置されている。
【先行技術文献】
【特許文献】
【０００３】
【特許文献１】特開昭６２−１０１７３９号公報
【発明の概要】
【発明が解決しようとする課題】
【０００４】
特許文献１に記載の基礎構造では、平面視において、複数本のピット一体型基礎梁が平行に延びる一方向に沿ってピットを通じた設備配管ルートを設定できるものの、その一方向に交差する他方向（例えば、複数本のピット一体型基礎梁が並ぶ方向）に沿ってピットを通じた設備配管ルートを設定できない。更に、設備配管用のピットの長さが断面長方形状の一対の通常の基礎梁どうしの間隔に制限される。
そのため、ピットを通じた設備配管ルートの設定自由度が低く、上述した展示場等の建物に適用するのは困難である。
この実情に鑑み、本発明の主たる課題は、設備配管ルートの設定自由度の高い設備配管用ピットを構成できながら、地盤中の比較的浅い位置に基礎梁を設置できる合理的な基礎構造を提供する点にある。
【課題を解決するための手段】
【０００５】
本発明の第１特徴構成は、梁幅方向で間隔を空けて並ぶ複数の縦壁部と、前記複数の縦壁部の下端側部位どうしに亘る底版部とを有し、上方側が開放された設備配管用のピットが梁幅方向の中間部位に区画形成されているピット一体型基礎梁を用いた基礎構造であって、
複数本の前記ピット一体型基礎梁が、平面視で交差する状態に並べて配置され、
前記ピット一体型基礎梁どうしの交差部では、前記ピット一体型基礎梁の前記ピットが前記交差部を縦断して梁長方向に連続する状態で、交差する複数本の前記ピット一体型基礎梁が接合されている点にある。
【０００６】
本構成によれば、基礎梁とピット構造物とが一体化されたピット一体型基礎梁を用いるので、地盤中で基礎梁の上に別途のピット構造物を設置する必要がなく、地盤中の比較的浅い位置に基礎梁を設置することができる。そのため、掘削土量やコンクリート数量等を削減したり、地下水位よりも高い位置に基礎梁を設置したりすることができる。
そして、そのピット一体型基礎梁が平面視で交差する状態に並べて配置され、その交差部では、ピット一体型基礎梁のピットが交差部を縦断して梁長方向に連続するので、設備配管ルートの設定自由度の高い設備配管用ピットを構成することができる。
ちなみに、１本のピット一体型基礎梁のピットが交差部を縦断して梁長方向に連続させれば、交差部どうしの間隔に制限されずに梁長方向に沿って設備配管ルートを設定することができ、複数本のピット一体型基礎梁のピットが交差部を縦断して梁長方向に連続させれば、平面視で交差する複数の方向に沿って設備配管ルートを設定することができる。
よって、設備配管ルートの設定自由度の高い設備配管用ピットを構成できながら、地盤中の比較的浅い位置に基礎梁を設置できる合理的な基礎構造を提供することができる。
【０００７】
本発明の第２特徴構成は、前記ピット一体型基礎梁どうしの交差部では、前記複数の縦壁部を有しない複数の縦壁部非形成領域が前記ピット一体型基礎梁に形成されている点にある。
【０００８】
本構成によれば、ピット一体型基礎梁どうしの交差部において、一方側のピット一体型基礎梁に形成された複数の縦壁部非形成領域を通じて、他方側のピット一体型基礎梁のピットを梁長方向に沿って適切に連続させることができる。
【０００９】
本発明の第３特徴構成は、前記ピット一体型基礎梁には、主筋及びあばら筋を有する梁鉄筋が配筋されて梁長方向に連続する複数の梁構造部が備えられ、
前記ピット一体型基礎梁どうしの交差部以外の部位では、前記複数の縦壁部に前記梁鉄筋が配筋されて、前記複数の縦壁部が前記複数の梁構造部として備えられている点にある。
【００１０】
本構成によれば、ピット一体型基礎梁には、梁鉄筋が配筋されて梁長方向に連続する複数の梁構造部が備えられているので、その梁長方向に連続する複数の梁構造部によって曲げモーメント等の応力を伝達することができ、基礎の大梁として、長期荷重だけでなく地震力等の短期荷重を適切に負担することができる。
しかも、ピット一体型基礎梁どうしの交差部以外の部位では、複数の縦壁部が複数の梁構造部として備えられているので、上方側が開放された設備配管用のピットを有するピット一体型基礎梁の断面形状を活用して複数の梁構造部を効率的に構成することができる。
【００１１】
本発明の第４特徴構成は、前記ピット一体型基礎梁どうしの交差部では、前記ピット一体型基礎梁の前記底版部の厚みが拡大され、その厚みが拡大された前記底版部における梁幅方向で間隔を空けた複数の部位に前記梁鉄筋が配筋されて、その梁鉄筋が配筋された複数の潜り梁状の部位が前記複数の梁構造部として備えられている点にある。
【００１２】
本構成によれば、ピット一体型基礎梁どうしの交差部では、厚みが拡大された底版部における梁幅方向で間隔を空けた複数の潜り梁状の部位が複数の梁構造部として備えられているので、複数の梁構造部を、ピット一体型基礎梁どうしの交差部で分断することなく連続させることができ、地震力等の短期荷重を一層適切に負担することができる。
【図面の簡単な説明】
【００１３】
【図１】本発明の基礎構造を適用した建物の床を示す平面図
【図２】本発明の基礎構造の概略構成を示す基礎伏図
【図３】図１のＩＩＩ−ＩＩＩ線断面図
【図４】図１のＩＶ−ＩＶ線断面図
【図５】図１のＶ−Ｖ線断面図
【図６】ピット一体型基礎梁どうしの交差部の概略構成を示す斜視図
【図７】ピット一体型基礎梁どうしの交差部の上方側部位の水平断面図
【図８】ピット一体型基礎梁どうしの交差部の下方側部位の水平断面図
【図９】図１のＩＸ−ＩＸ線断面図
【発明を実施するための形態】
【００１４】
本発明の基礎構造の実施形態を図面に基づいて説明する。
この基礎構造は、例えば、図１に示すように、１階の床１に設備配管用のピット２が略格子状に配置される展示場等の建物に好適に用いることができる。
この基礎構造は、図２、図３に示すように、上方側にピット２を有する鉄筋コンクリート造の複数のピット一体型基礎梁Ｂを平面視で略格子状（交差する状態の一例）に並べて構成されている。そして、図３に示すように、ピット一体型基礎梁Ｂどうしの間に鉄筋コンクリート造の床スラブ３が構築され、それらの上に展示物の据え付けや転倒防止のためのアンカーの設置等に利用される嵩上げコンクリート層４等が適宜に構築される。なお、本実施形態では、ピット一体型基礎梁Ｂどうしの交差部５の下方の地盤やピット一体型基礎梁Ｂの梁長方向の途中部位の下方の地盤等の適所に支持杭６が略等間隔で建て込まれており、ピット一体型基礎梁Ｂは、床スラブ３等の荷重を支持杭６に伝達するように構成されている。
【００１５】
基礎梁とピット構造物とが一体化されたピット一体型基礎梁Ｂを用いるので、地盤中で基礎梁の上に別途のピット構造物を設置する必要がなく、地盤中の比較的浅い位置に基礎梁を設置し、掘削土量やコンクリート数量を削減することができる。更に、本実施形態では、ピット一体型基礎梁Ｂを、地盤中の地下水位よりも高い位置に設置することで施工の手間や時間を大幅に削減している。
そして、この基礎構造では、図２、図６に示すように、ピット一体型基礎梁Ｂどうしの交差部５では、一本又は二本（複数本の一例）のピット一体型基礎梁Ｂのピット２が交差部５を縦断して梁長方向（長手方向）に連続する状態で、交差する複数本のピット一体型基礎梁Ｂが接合されている。そのため、交差部５どうしの間隔に制限されずに設備配管ルートの長さを設定したり、平面視で交差する複数の方向に沿って設備配管ルートを設定したりする等、設備配管ルートの設定自由度の高い設備配管用のピット２を構成することができる。
以下、ピット一体型基礎梁Ｂ、及び、ピット一体型基礎梁Ｂの交差部５について順に説明する。
【００１６】
（ピット一体型基礎梁）
図３は、ピット一体型基礎梁Ｂの梁長方向中間部で支持杭６の上方に位置しない部位の断面構造を示している。同図３に示すように、ピット一体型基礎梁Ｂは、梁幅方向（図中の左右方向）で間隔を空けて並ぶ一対（複数の一例）の縦壁部１１と、一対の縦壁部１１の下端側部位どうしに亘る底版部１２とを有し、上方側が開放された設備配管用のピット２が梁幅方向の中間部位に区画形成されている。縦壁部１１、底版部１２、ピット２は、梁長方向に連続している。また、ピット一体型基礎梁Ｂには、横姿勢の主筋１３ａ及びあばら筋１３ｂを有する横姿勢の梁鉄筋１３Ａが配筋されて梁長方向に連続する一対（複数の一例）の梁構造部１３が備えられている。
【００１７】
ピット一体型基礎梁Ｂどうしの交差部５以外の部位では、一対の縦壁部１１に横姿勢の梁鉄筋１３Ａが配筋されて、一対の縦壁部１１が一対の梁構造部１３として備えられている。底版部１２には、例えば、主筋と配力筋を格子状に組み付けたスラブ筋１２Ａが上下二段に配筋されている。ちなみに、ピット一体型基礎梁Ｂどうしの間の床スラブ３にも、主筋と配力筋を格子状に組み付けたスラブ筋３Ａが上下二段に配筋されている。
【００１８】
図４は、ピット一体型基礎梁Ｂの梁長方向中間部で支持杭６の上方に位置する部位の断面構造を示している。同図４に示すように、ピット一体型基礎梁Ｂの梁長方向の中間部位において、支持杭６の上方に位置する部位では、支持杭６の上方に位置しない部位（図３参照）に比べて、底版部１２の厚みが下方に拡大され、底版部１２が支持杭６の杭頭部と接合するための強度の高いキャピタルとして構成されている。この底版部１２の底側部位には、上方側の梁構造部１３に亘る状態で梁幅方向の両外側部位に配筋された第１補強筋１２Ｂと、補強筋を格子状に組み付けて底側に配筋された第２補強筋１２Ｃとが備えられている。
【００１９】
なお、ピット一体型基礎梁Ｂは、ピット２の大きさや形状等の異なる各種の断面構造を用いることができる。例えば、この基礎構造では、図５に示すように、一部のピット一体型基礎梁Ｂ（図１中の上方側で左右方向に延びるピット一体型基礎梁Ｂ１）が、図３に示すピット一体型基礎梁Ｂに比べて、一対の縦壁部１１の間隔が大に構成されている。また、一対の縦壁部１１は、図３に示すピット一体型基礎梁Ｂに比べて、その上下幅が大で、その左右幅が小に構成されている。そして、一対の縦壁部１１の上端側部位の内側（ピット側）に内向きに突出する突出壁部１４が一体的に設けられ、その突出壁部１４どうしの間にピット２の開口部が設けられている。そのため、このピット一体型基礎梁Ｂ１のピット２は、図３に示すピット一体型基礎梁Ｂのピット２よりも体積が大きく構成され、且つ、開口部よりも奥側の空間が広いアリ溝状に構成されている。
【００２０】
（ピット一体型基礎梁どうしの交差部）
図２に示すように、ピット一体型基礎梁Ｂどうしの交差部５では、少なくとも一本のピット一体型基礎梁Ｂのピット２が交差部５を縦断して梁長方向に連続する状態で、交差する二本のピット一体型基礎梁Ｂが接合されている。
図２中の４つの交差部５おいて、左上と右下の二つの交差部５は、図中で一本のピット一体型基礎梁Ｂのピット２（図中、左右方向に延びる一本）が交差部５を縦断して梁長方向に連続する構造を例示しており、左下と右上の二つの交差部５は、交差する二本のピット一体型基礎梁Ｂのピット２（図中、左右方向と上下方向に延びる二本）が交差部５を縦断して梁長方向に連続する構造を例示している。
【００２１】
以下、図６〜図９を参照し、便宜上、一方側のピット一体型基礎梁Ｂに交差する他方側のピット一体型基礎梁Ｂ及びその関連構成の符号に「´」を付して説明を加える。なお、図７は、ピット一体型基礎梁Ｂ，Ｂ´の交差部５の上方側部位の水平断面図を示し、図８は同交差部５の下方側部位の水平断面図を示している。
【００２２】
図６に示すように、ピット一体型基礎梁Ｂ、Ｂ´の交差部５では、一対の縦壁部１１を有しない一対の縦壁部非形成領域１１Ｃが少なくとも一方側のピット一体型基礎梁Ｂに形成されており、その一対の縦壁部非形成領域１１Ｃを通じて、当該ピット一体型基礎梁Ｂに交差する他方側のピット一体型基礎梁Ｂ´のピット２´が梁長方向に沿って連続するように構成されている。図６に示す例では、他方側のピット一体型基礎梁Ｂ´にも、一対の縦壁部非形成領域１１Ｃ´が形成され、その一対の縦壁部非形成領域１１Ｃ´を通じて、当該ピット一体型基礎梁Ｂ´に交差する一方側のピット一体型基礎梁Ｂのピット２も梁長方向に沿って連続するように構成されている。
【００２３】
前述の如く、交差する一対のピット一体型基礎梁Ｂ，Ｂ´には、梁長方向に連続する一対の梁構造部１３，１３´が備えられている。ピット一体型基礎梁Ｂ，Ｂ´の交差部５以外の部位では、一対の縦壁部１１，１１´が一対の梁構造部１３，１３´として備えられているが、ピット一体型基礎梁Ｂ，Ｂ´の交差部５では、一対の縦壁部非形成領域１１Ｃ，１１Ｃ´が形成されるために一対の縦壁部１１,１１´を梁長方向に連続させることができない。
【００２４】
そこで、図７に示すように、ピット一体型基礎梁Ｂ，Ｂ´の交差部５において、一対の縦壁部非形成領域１１Ｃ，１１Ｃ´が形成されている部位では、ピット一体型基礎梁Ｂ，Ｂ´の底版部１２，１２´（図９参照）の厚みが下方に拡大され、その拡大された底版部１２，１２´における梁幅方向で間隔を空けた一対の部位に横姿勢の梁鉄筋１３Ａ，１３Ａ´（図８、図９参照）が配筋されて、その横姿勢の梁鉄筋１３Ａ，１３Ａ´が配筋されて底版部１２，１２´に構成された一対の潜り梁状の部位１２Ｄ，１２Ｄ´が一対の梁構造部１３，１３´として備えられている。
【００２５】
そして、図７、図８に示すように、ピット一体型基礎梁Ｂ，Ｂ´の交差部５では、複数の梁構造部１３，１３´としての一対の縦壁部１１，１１´と、複数の梁構造部１３，１３´としての一対の潜り梁状の部位１２Ｄ，１２Ｄ´とを接合するための四つの接合部位１５が備えられている。
【００２６】
各接合部位１５は、図７〜図９に示すように、ピット一体型基礎梁Ｂ，Ｂ´に共通する短柱状の部位として構成され、一方側のピット一体型基礎梁Ｂの梁構造部１３としての縦壁部１１と潜り梁状の部位１２Ｄとを接続するとともに、他方側のピット一体型基礎梁Ｂ´の梁構造部１３´としての縦壁部１１´と潜り梁状の部位１２Ｄ´とを接続している。
【００２７】
図７、図８に示すように、各接合部位１５の下方側部位には、梁長方向に延びる潜り梁状の部位１２Ｄ，１２Ｄ´における横姿勢の梁鉄筋１３Ａ，１３Ａ´の端部が配筋され、各接合部位１５の上方側部位には、梁長方向に延びる縦壁部１１，１１´の横姿勢の梁鉄筋１３Ａ，１３Ａ´の端部が配筋されている。そして、各接合部位１５には、その上方側部位から下方側部位に亘って縦姿勢の接合鉄筋１５Ａが配筋されている。
【００２８】
縦姿勢の接合鉄筋１５Ａは、一方側のピット一体型基礎梁Ｂの梁構造部１３としての縦壁部１１と潜り梁状の部位１２Ｄとを接続するための縦姿勢の主筋１５ａと、他方側のピット一体型基礎梁Ｂ´の梁構造部１３´としての縦壁部１１´と潜り梁状の部位１２Ｄ´とを接続するための縦姿勢の主筋１５ａ´と、これらの主筋１５ａ，１５ａ´を囲うスターラップ筋１５ｂ等を有している。
そのため、各接合部位１５を介して、ピット一体型基礎梁Ｂ，Ｂ´の梁構造部１３，１３´を梁長方向に段違い状に連続させる形態で、ピット一体型基礎梁Ｂ，Ｂ´の梁構造部１３，１３´を曲げモーメント等の応力を伝達可能に適切に接続することができ、ピット一体型基礎梁Ｂ，Ｂ´にて、長期荷重だけでなく、地震力等の短期荷重を適切に負担することができる。
【００２９】
なお、図９に示すように、ピット一体型基礎梁Ｂ，Ｂ´において、底版部１２，１２´の内部に構成された潜り梁状の部位１２Ｄ，１２Ｄ´の高さ寸法Ｈ２（梁せい）は、縦壁部１１，１１´の高さ寸法（梁せい）Ｈ１と略同等に構成されており、本実施形態では、潜り梁状の部位１２Ｄ，１２Ｄ´の高さ寸法Ｈ２（梁せい）が、縦壁部１１，１１´の高さ寸法（梁せい）Ｈ１よりも若干小さく構成されている。
また、各接合部位１５において、ピット一体型基礎梁Ｂ，Ｂ´の平面視における各幅寸法Ｗは、縦壁部１１，１１´の高さ寸法（梁せい）Ｈ１と略同等に構成されており、本実施形態では、ピット一体型基礎梁Ｂ，Ｂ´の平面視における各幅寸法Ｗが、縦壁部１１，１１´の高さ寸法（梁せい）Ｈ１よりも若干小さく構成されている。
【００３０】
このように構成された基礎構造は、各種の施工方法にて構築することが可能であり、例えば、ピット一体型基礎梁Ｂどうしの交差部５における底版部１２の底側部位を先行構築した後、当該底側部位の上面にプレキャストコンクリート製のピット一体型基礎梁Ｂを載置し、ピット一体型基礎梁Ｂどうしの交差部５における底版部１２の残りの部位を構築する等により、効率良く構築することも可能である。
【００３１】
なお、図示は省略するが、ピット一体型基礎梁Ｂどうしの交差部５において、一対の縦壁部非形成領域１１Ｃが形成されずに一対の縦壁部１１が梁長方向に沿って連続している部位では、複数の梁構造部１３は、一対の縦壁部１１として備えられている。
【００３２】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３３】
（１）上記実施形態では、ピット一体型基礎梁Ｂが、梁幅方向で間隔を空けて並ぶ一対の縦壁部１１と、一対の縦壁部１１の下端側部位どうしに亘る底版部１２とを有し、上方側が開放された一つの設備配管用のピット２が梁幅方向の中間部位に区画形成されている場合を例に示したが、例えば、梁幅方向で間隔を空けて並ぶ三本以上の縦壁部１１と、三本以上の縦壁部１１の下端側部位どうしに亘る底版部１２とを有し、上方側が開放された二つ以上の設備配管用のピット２が梁幅方向の中間部位に区画形成されていてもよい。
【００３４】
（２）上記実施形態では、ピット一体型基礎梁Ｂどうしの交差部５の下方の地盤に一本の支持杭６が建て込まれている場合を例に示したが、例えば、ピット一体型基礎梁Ｂどうしの交差部５の下方の地盤に十分な本数の支持杭６が建て込まれている場合等、ピット一体型基礎梁Ｂに地震力等の短期荷重を負担させる必要がなく、ピット一体型基礎梁Ｂに長期荷重のみを負担させればよい場合には、ピット一体型基礎梁Ｂにおいて、複数の梁構造部１３として梁鉄筋１３Ａを配筋して底版部１２に構成される潜り梁状の部位１２Ｄを省略することができる。
【００３５】
（３）上記実施形態では、ピット一体型基礎梁Ｂどうしの交差部５の下方の地盤にピット一体型基礎梁Ｂの梁長方向の途中部位の下方の地盤等の適所に支持杭６が略等間隔で建て込まれた基礎構造を例に示したが、ピット一体型基礎梁Ｂどうしの交差部５の下方の地盤やピット一体型基礎梁Ｂの梁長方向の途中部位の下方の地盤等の適所に独立基礎等が略等間隔で配置された基礎構造等であってもよい。この場合、ピット一体型基礎梁Ｂは、床スラブ３等の荷重を独立基礎等に伝達するように構成される。
【符号の説明】
【００３６】
２，２´          設備配管用のピット
５                交差部
１１，１１´      縦壁部
１１Ｃ，１１Ｃ´  縦壁部非形成領域
１２，１２´      底版部
１２Ｄ，１２Ｄ´  潜り梁状の部位
１３，１３´      梁構造部
１３Ａ，１３Ａ´  梁鉄筋
１３ａ            主筋
１３ｂ            あばら筋
Ｂ，Ｂ´          ピット一体型基礎梁
【図１】
2020169471.tif 000003
【図２】
2020169471.tif 000004
【図３】
2020169471.tif 000005
【図４】
2020169471.tif 000006
【図５】
2020169471.tif 000007
【図６】
2020169471.tif 000008
【図７】
2020169471.tif 000009
【図８】
2020169471.tif 000010
【図９】
2020169471.tif 000011